(57)【要約】粘着性物質を粘着性物質の供給源から分配するためのノズル（１４）。該ノズルは、分配口（１６）、この口と流体連絡しているノズルスロート（２４）およびそのノズルスロートおよび粘着性物質の供給源と流体連絡している移行部（２８）を含む。ノズルのこれらの部分は特定の大きさの関係にある。
2006506282.tif 000002
【特許請求の範囲】
【請求項１】
粘着性物質をその供給源から分配するためのノズルであって、
該ノズルが
略矩形の分配口と
そのノズル口と流体連絡しているノズルスロートと
そのノズルスロートと材料の供給源とを流体連絡している移行部と
を含むのに対して
該供給源が供給源と移行部の境界面にてＡの内側断面積を有する容器を含み、その移行部がノズルスロートとの境界面にてＢの断面積を有し、その分配口が該口を介して流れる方向に垂直な平面にてＣの断面積を有し、
ここで、
ＡがＢの２倍から３倍の範囲にあり、
ＢがＣの２５倍から３０倍の範囲にある、ところのノズル。
【請求項２】
粘着性物質が歯科用接着剤を含み、Ａが約３．４平方インチであり、Ｂが約１．３５平方インチであって、Ｃが約０．０２５４平方インチである、ところの請求項１記載のノズル。
【請求項３】
粘着性物質が練り歯磨きを含み、Ａが約３．４平方インチであり、Ｂが約１．３５平方インチであって、Ｃが約０．０２５４平方インチである、ところの請求項１記載のノズル。
【請求項４】
分配口の先端の角度が粘着性物質の流れ方向に対して９０度よりも大きい、ところの請求項１記載のノズル。
【請求項５】
分配口の断面積が０．０２から０．０３平方インチの範囲にある、ところの請求項１記載のノズル。
【請求項６】
略矩形の口の内側の角が丸味を帯びている、ところの請求項１記載のノズル。
【請求項７】
ノズルスロートがノズルの縦軸に沿って実質的に一定の断面積を有する、ところの請求項１記載のノズル。
【請求項８】
ノズルが容器と分配口の間に実質的に円筒状の外面を含む、ところの請求項１記載のノズル。
【請求項９】
実質的に円筒形の外面が複数のスレッドを含む、ところの請求項８記載のノズル。
【請求項１０】
複数のスレッドが３本の略平行なスレッドを含み、各スレッドが一定の角度の間隔を置いた開始点で、その円筒状の外面の外周にある位置で開始する、ところの請求項９記載のノズル。
【請求項１１】
一定の角度の間隔を置いた開始点がその外周の回りに１２０度の間隔で配置される、ところの請求項１０記載のノズル。
【請求項１２】
複数のスレッドが０．２５（１インチ当たり４本のスレッド）のピッチを有する、ところの請求項９記載のノズル。
【請求項１３】
複数のスレッドが円筒状の外面の外周にて約２００度の角度で広がる３本の略平行なスレッドを含む、ところの請求項９記載のノズル。
【請求項１４】
分配口の幅の長さに対する割合が約５０％である、ところの請求項１記載のノズル。
【請求項１５】
粘着性物質をその供給源から分配するためのノズルであって、
該ノズルが
略矩形の分配口（その略矩形の口の内側の角は丸味を帯びている）と、
そのノズル口と流体連絡しているノズルスロート（そのノズルスロートは該ノズルの縦軸に沿って実質的に一定の断面積を有する）と、および
そのノズルスロートとその物質の供給源とを流体連絡している移行部と
を含むのに対して
該供給源が供給源と移行部の境界面にてＡの内側断面積を有する容器を含み、該移行部がノズルスロートとの境界面にてＢの断面積を有し、該分配口が該口を介する流れ方向に垂直な平面にてＣの断面積を有し、
ここで、
ＡがＢの２倍から３倍の範囲にあり、
ＢがＣの２５倍から３０倍の範囲にあり、
ここで、該ノズルが容器と分配口の間に実質的に円筒状の外面を含み、この実質的に円筒状の外面が複数のスレッドを含み、各スレッドが一定の角度の間隔を置いて離れた開始点で、その円筒状の外面の外周にある位置で開始する、ところのノズル。
【請求項１６】
複数のスレッドが、一定の角度の間隔を置いて離れた開始点がその外周の回りに１２０度の間隔で配置される、ところの請求項１５記載のノズル。
【請求項１７】
複数のスレッドが０．２５（１インチ当たり４本のスレッド）のピッチを有する、ところの請求項１５記載のノズル。
【請求項１８】
複数のスレッドが円筒状の外面の外周にて約２００度の角度で広がる３本の略平行なスレッドを含む、ところの請求項１７記載のノズル。
【請求項１９】
粘着性物質をその供給源から分配するためのノズルであって、
該ノズルが
略楕円形の分配口と、
そのノズル口と流体連絡しているノズルスロートと、および
そのノズルスロートと粘着性物質の供給源を流体連絡している移行部と
を含むのに対して
該供給源が供給源と移行部の境界面にてＡの内側断面積を有する容器を含み、該移行部がノズルスロートとの境界面にてＢの断面積を有し、該分配口が該口を介する流れ方向に垂直な平面にてＣの断面積を有し、ここで、
ＡがＢの２倍から３倍の範囲にあり、
ＢがＣの２５倍から３０倍の範囲にある、ところのノズル。
【請求項２０】
分配口の先端の角度が粘着性物質の流れ方向に対して９０度よりも大きい、ところの請求項１９記載のノズル。
【請求項２１】
楕円形の口の短軸が楕円形の口の長軸の約５０％である、ところの請求項１９記載のノズル。
【発明の詳細な説明】
【発明の詳細な説明】
【０００１】
（関連出願の相互参照）
本願は２００２年５月１３日付け出願の米国特許出願番号２９／１６０５２５（発明の名称：粘着性物質の分配用ノズル）および２００２年５月１３日付け出願の米国特許出願番号２９／１６０５３０（発明の名称：粘着性物質の分配用ノズル）の一部継続出願である。これらの出願の内容すべてを出典明示により本明細書の一部とする。
【０００２】
（技術分野）
本発明は曲げやすい容器から粘着性物質を分配するためのノズルに関する。
【０００３】
（従来技術）
多種の粘着性物質は押出し可能な容器から分配され、その粘着性物質の分配圧は可撓性容器を加圧することで発生する。その容器から出る物質の形状はかかる容器の開口端を形成するノズルの断面の形状により決定される。粘着性物質は容器内で容器をノズル方向に押し出すことにより発生する圧力の影響を受けて動き、ノズルおよびその分配口を通って容器から押し出される。押し出される粘着性物質の断面の形状は分配口の断面の形状により決定される。
【０００４】
先行文献は多くのノズル口の形状を開示しており、その先行文献のノズル口の大部分は円形であり、分配される粘着性物質は円筒形の押出物を形成するが、ノズル口には多種多様な形状が用いられている。例えば、マナダナス（Manadanas）に付与された米国特許第５８２３３８７号の図４ないし図７の内部ノズル口を参照のこと。欧州特許出願０１７８３７７Ａ２を含む、多くの参考文献には細長い形状の分配口が開示されている。
【０００５】
粘着性物質を分配するノズル構造体の分配口の形状とは別に、ノズル構造体は、容器を押し出すことで発生する圧力、通常、手による圧力が、特定の用途に適する形状および速度で、適量の粘着性物質を分配ノズルから押し出すのに十分な圧力を提供するものでなければならない。
【０００６】
加えて、ノズル構造体は、製造するのに法外に高くない作業で通常の成型装置で形成されうるものでなければならない。
【０００７】
（発明の開示）
従来技術のこれらの問題および別の問題を解決するために、粘着性物質をその供給源から分配するためのノズルを提供する。該ノズルは、分配口と、その分配口と流体連絡しているノズルスロートと、ノズルスロートと粘着性物質の供給源とを流体連絡している移行部とを含む。粘着性物質の供給源は、その供給源と移行部の境界面で、数値Ａの内側断面積を有する容器である。移行部は、ノズルスロートとの境界で、数値Ｂの断面積を有する。分配口は、その口を通る流れに対して垂直な平面にて、数値Ｃの断面積を有する。ノズルが略矩形、「競技場」の形または楕円形の分配口を含む場合には、ＡはＢの２ないし３倍の範囲内にあり、ＢはＣの２５ないし３５倍の範囲内にある。
【０００８】
かかる形状のノズルは、所望の形状の粘着性物質を許容される速度で容器内に過度の圧力を発生させることなく分散させることができる。その上、かかるノズルは、複雑な操作を必要としない自動機械にて組み立てることができ、容器に装着されうる。
【０００９】
本発明の付加的な目的は、以下の明細書にある程度開示されており、その記載からある程度明らかであるか、あるいは本発明を実施することにより学習することもできる。本発明の目的および利点は、添付した特許請求の範囲に特に言及されている要素および組み合わせにより理解され、かつ実現されるであろう。
【００１０】
上記した一般的記載および後記する詳細な記載は共に単に例示および説明であって、クレームのように、本発明を制限するものではないと解釈すべきである。
【００１１】
本明細書の一部に組み込まれ、本発明の一部を構成する、添付図面は、本明細書の記載と一緒になって、本発明のいくつかの具体例を説明するものであり、本発明の原理を説明するのに用いられる。
（図面の簡単な記載）
【００１２】
図１はノズルからの流れ方向に対して一定の角度で切断されている略矩形のノズル口を有する本発明の一の具体例の左方向斜視図である。
【００１３】
図２は図１の具体例の側面図である。
【００１４】
図３は図１の具体例である矩形ノズル口に向かう端面図である。
【００１５】
図４は容器内部から図１の具体例である矩形ノズル口に向かう図である。
【００１６】
図５は、ノズル口が楕円である、もう一つ別の具体例のノズル口に向かう端面図である。
【００１７】
図６は容器内部から図５の具体例であるノズル口に向かう図である。
【００１８】
図７は図５の具体例の側面図である。
【００１９】
図８は図１の具体例の断面図である。
【００２０】
（好ましい具体例の詳細な記載）
本発明の好ましい具体例について詳細に述べ、その例を添付した図面にて説明する。可能な限り、図面全体を通して同じまたは同様の部材に言及するのに同じ符号を用いる。
【００２１】
本発明によれば、粘着性物質を分配するためのノズルが得られる。かかる物質として、接着剤、コーキング剤、練り歯磨き剤、歯科用接着剤、食品、絵の具などが挙げられる。ノズルの目的は、粘着性物質を、一の形状で、粘着性物質の受入面への効果的かつ有効なデリバリーを容易にするのに、一の速度で粘着性物質を分配することである。かかる物質の供給源は容器である。
【００２２】
具体例として図１に示すように、容器はノズル１４の反対側に閉鎖端部１２を有するチューブ１０である。その容器の形状は本発明にとって重要なことではない。容器は、前に進めることでその容器中の粘着性物質に圧力を提供する可動式端部を有する円筒状チューブ、外圧の影響を受けて押出可能なチューブ、または粘着性物質を容器から押し出すようにノズル向かう圧力を形成することのできる粘着性物質の供給源とすることができる。
【００２３】
本発明によれば、分配口を含むノズルが含まれる。具体例として図１−４および８に示すように、角１８が丸味を帯びた略矩形のノズル口１６を有するノズルが提供される。曲率半径が重要であることは知られていないが、角が丸味を帯びていない（すなわち、鋭角、四角形の）場合、ノズル口にある残留物である、粘着性物質がかかる鋭角の角にて蓄積し、かかる鋭角の角での流速は有意に減少する。そういう訳で、略矩形であるノズル口の角は、図３および図４に最も明確に描かれるように、角が丸味を帯びていることが好ましい。ある具体例においては（図示せず）、矩形口の対向する短辺の端部は、その端部にて横切る寸法の半分に等しい半径を有する、すなわち、「競技場」の形状である。
【００２４】
ノズルの先端がノズルを通る粘着性物質の流れ方向に対して一定の角度で切断されている具体例において、その口の断面積をノズルの通過に対して直角方向にて（装置における他の断面積との比較を目的として）測定した。
【００２５】
好ましい具体例において、略矩形のノズルの開口部は長さの幅に対する割合が１．８ないし２．２の範囲にある。最も好ましい具体例は、半径が口の幅の半分より小さい、長さの幅に対する割合が１．９６の、角が丸味を帯びているものである。
【００２６】
粘着性物質における圧力が比較的小さく、粘着性物質がそれほど圧縮性のない場合、ノズル口の形状が分配される材料の形状を決定する。
【００２７】
図５および図６に具体的に示されるように、ノズル口１６は断面が楕円である。好ましい具体例において、楕円のノズル開口部は楕円口の長軸（長い内寸２２）の約５０％の短軸（短い内寸２０）を有する。
【００２８】
本発明によれば、本発明のノズルはノズル口と流体連絡しているノズルスロートを含む。図８にて具体的に明示されているように、ノズル１４はチャネル２６を介して口１６に至るノズルスロート２４を含む。
【００２９】
本発明によれば、ノズルはノズルスロートと粘着性物質の供給源とを流体連絡している移行部を含む。図８に具体的に図示されているように、ノズル１４は、一の先端（ノズルスロート２４）でチャネル２６と接する移行部２８を含み、その反対の先端（ノズルエントランス３０）で、それは容器１０と境界を形成する。
【００３０】
本発明によれば、分配ノズル口は数値Ｃの断面積（粘着性物質がノズルを介して流れる方向に対して垂直の方向で測定する）を有する。具体的に示されるように、ノズル口１６はＣの断面積を有する。
【００３１】
本発明によれば、ノズルスロートとの境界面にてＢの断面積を有する。図８にて具体的に明示されるように、移行部２８はノズルスロート２４に隣接しており、ノズルスロート２４はＢの断面積を有する。移行部２８の対向端はノズルエントランス３０で容器１０と境界を形成する。
【００３２】
本発明によれば、粘着性物質の供給源は、該供給源とノズルの移行部の境界面でＡの内側断面積を有する容器を含む。図８にて具体的に図示されるように、チューブ１０は断面積がＡのノズルエントランス３０を有する。
【００３３】
分配口が略矩形である具体例において、Ａの数値はＢの２ないし３倍の範囲にあり、Ｂの数値はＣの２５ないし３０倍の範囲にある。粘着性物質が歯科用接着剤または練り歯磨きのいずれかである好ましい具体例においては、Ａが約３．４平方インチであり、Ｂが約１．３５平方インチであって、Ｃが約０．０２５４平方インチである。
【００３４】
好ましい具体例においては、ノズルスロートはノズルの縦軸に沿って実質的に一定の断面積を有する。図８に具体的に図示されるように、ノズルはノズル１４の縦軸に沿って伸びる内部ノズルスロート２４を含む。具体的に示されるように、ノズルスロートは、ノズルを介する粘着性物質の流れを有意に干渉することなく、ノズルを形成する手段の作製を容易にするステップ３２を含む。具体的に示されるように、ノズルの内面は円筒状のノズルスロート２４から分配口１６にテーパーを付して移行する平坦なチャネル２６を含む。該チャネル２６は完全にテーパーが付されている必要はなく、図８にてチャネル２６の最終部分は略平行な側面を有する。
【００３５】
図２に示されるように、分配口はノズルを介する粘着性物質の流れに対して垂直である必要はない。具体的に示されるように、分配口は粘着性物質の流れ方向に対して９０度より大きな角度にある。このことはノズル口が円形または楕円形である場合でも同様である。
【００３６】
具体的に示されるように、ノズルは移行部２８と分配口１６の間に実質的に円筒状の外面３４を含む。その面３４は複数のスレッド３６を含む。この具体例において、該スレッドは３個の略平行なスレッド３６を含み、各スレッドが一定の角度離れた開始点で、その円筒状の外面の外周にある位置で開始する。一定の角度を置いて離れた開始点はその周辺で１２０度の間隔で置かれていることが好ましい（図３および５に図示されている）。複数のスレッドは０．２５のピッチ（１インチに付き４個のスレッド）を有し、円筒外面３４の回りにおよそ２００度で伸長することがさらに好ましい。
【００３７】
本発明の別の具体例は明細書を考慮し、本明細書に開示の発明を実施することで当業者に明らかであろう。明細書および実施例は単なる例示であると考えられ、発明の本当の範囲および精神は添付の特許請求の範囲にて示される。
【図面の簡単な説明】
【００３８】
（原文に記載なし）
【図１】
2006506282.tif 000003
【図２】
2006506282.tif 000004
【図３】
2006506282.tif 000005
【図４】
2006506282.tif 000006
【図５】
2006506282.tif 000007
【図６】
2006506282.tif 000008
【図７】
2006506282.tif 000009
【図８】
2006506282.tif 000010
【国際調査報告】
2006506282.tif 000011
2006506282.tif 000012
2006506282.tif 000013